(57)【要約】【課題】アナログ信号またはデジタル信号を伝送でき、コネクタが二重遮蔽の効果を有し生産コストをコントロールできるオーディオジャックのコネクタを提供する。【解決手段】絶縁ハウジング、導電端子組、ＬＥＤ感光器４及び遮蔽ケース５を含む。絶縁ハウジングは、基部２１及び絶縁プレート２２を含み、基部２１には挿接孔２１１が設けられ、挿接孔２１１は基部２１の内部へ延伸して挿接孔溝２１１１が形成されている。基部２１の後面に矩形収容溝２１３が設けられ、ＬＥＤ感光器４はその中に設置されている。ＬＥＤ感光器４の感応構造は、挿接孔２１１の中心と相互対応する。絶縁プレート２２の底部には導電端子組を収容する弾性接触部３２１の凹み溝が設けられ、感光器４を支持する突部が設けられている。【選択図】図２
0003127978.tif 000002
【実用新案登録請求の範囲】
【請求項１】
絶縁ハウジング（２）、導電端子組（３）、ＬＥＤ感光器（４）及び遮蔽ケース（５）を備え、
当該絶縁ハウジング（２）は、基部（２１）及び絶縁プレート（２２）を有し、
当該基部（２１）には挿接孔（２１１）が設けられ、当該挿接孔（２１１）は基部（２１）の内部へ延伸して挿接孔溝（２１１１）が形成され、当該基部（２１）の後面に矩形収容溝（２１３）が設けられ、その中に当該ＬＥＤ感光器（４）が設置され、当該ＬＥＤ感光器（４）の感応結構は当該挿接孔（２１１）の中心と相互に対応していることを特徴とするオーディオジャックのコネクタ。
【請求項２】
当該絶縁プレート（２２）の底部には当該導電端子組（３）を収容する弾性接触部（３２１）の凹み溝（２２４）が設けられ、感光器（４）を支持する突部（２２３）が設けられていることを特徴とする請求項１に記載のオーディオジャックのコネクタ。
【請求項３】
基部（２１）の頂面には複数の中空の異なっている幾何形状の端子収容溝（２１２）が設けられ、基部（２１）の底面まで貫通して、すべての端子収容溝（２１２）は挿接孔溝（２１１１）の両端に配置されて、当該導電端子組（３）はその中に設置されていることを特徴とする請求項１に記載のオーディオジャックのコネクタ。
【請求項４】
当該遮蔽ケース（５）の頂面両端が向下して垂直に延伸して両側面が形成され、両側面は相対で曲折して延伸して遮蔽ケース（５）の嵌入口（５１）が形成され、遮蔽ケース（５）の後蓋（５２）は頂面が向下して曲折形成され、当該後蓋（５２）の両側端は側面と平行しているプレート体（５２０）が設けられ、当該プレート体（５２０）の中部はそれぞれ係止溝口（５２１）が設けられ、当該係止溝口（５２１）は両側壁後端の係止点（５７）と相互ロックすることを特徴とする請求項１に記載のオーディオジャックのコネクタ。
【請求項５】
当該基部（２１）の前側面の挿接孔（２１１）の上端には嵌入溝（２１１３）が設計され、遮蔽ケース（５）の嵌入口（５１）と相互嵌合する結構であることを特徴とする請求項１に記載のオーディオジャックのコネクタ。
【請求項６】
基部（２１）の両側面の下半部にはいくつかのロック凸塊（２１４）が設けられ、それは遮蔽ケース（５）の両側面の相応する位置の係止溝口（５３）と相互ロックすることを特徴とする請求項１に記載のオーディオジャックのコネクタ。
【請求項７】
当該基部（２１）の両側面の上半部には複数の凹み部（２１５）が設けられ、当該凹み部（２１５）は絶縁プレート（２２）の凹み溝口（２２１）と整体の７字形の凹み結構が形成され、当該結構は遮蔽ケース（５）上のロック凸部（５４）と相互嵌合ロックすることを特徴とする請求項１に記載のオーディオジャックのコネクタ。
【請求項８】
基部（２１）の両側面の中間及び後端には条状凸塊（２１６）が設けられ、それは遮蔽ケース（５）の相応位置の条状溝（５６）と相互に押し当てることを特徴とする請求項１に記載のオーディオジャックのコネクタ。
【考案の詳細な説明】
【技術分野】
【０００１】
本考案は、オーディオジャック（ａｕｄｉｏ  ｊａｃｋ）のコネクタに関して、特定のジャック（ｊａｃｋ）と相互接続できることで、アナログ信号とデジタル信号のオーディオジャックのコネクタを達することである。
【背景技術】
【０００２】
音の効果を生じるオーディオジャックのコネクタは、視聴産業に既に広く使用されて、その主要な機能は音声信号の伝送を提供する。ここ数年来、各種の小さくて精巧な型の電子デジタルの製品はしきりに発表されて、例えば、携帯電話、ＰＤＡ、ＭＰ３及びパソコン等の電子デジタルの製品発展で、オーディオジャックのコネクタはこれらの製品の応用上で更に重要となる。
【０００３】
以前によく見られるオーディオジャックのコネクタは、絶縁ハウジングに挿孔を設けて、しかも絶縁ハウジングに複数の端子を設けて、オーディオ信号ジャックを絶縁ハウジングの挿孔に挿入して、ジャックは端子と相互接触して、そうすると、アナログ信号を伝送することができて、しかし、アナログ信号の伝送方式は外部の妨害を受けやすくて、コネクタ内の信号伝送品質に影響して、従って、光で信号のデジタル信号に規格を発展させて、デジタル信号で信号伝送の方式としてあまねく関連の電子デジタル製品に用いられているが、現在の電子デジタル製品によるオーディオジャックのコネクタは多くのアナログ信号の規格を採用して、そのため、デジタル信号を受け取ることに対して不便なことを生む。ただ特有のデジタル信号コネクタを採用して、現在依然としてアナログ信号を使用している電子デジタル製品に対して影響をもたらす。デジタル信号コネクタとアナログ信号コネクタの二種類の規格のオーディオジャックのコネクタを分けて使用するならば、配線板の多くの面積を占めるため、体積を縮小する目的を達することができない。更に、現在のオーディオジャックのコネクタは、ロック機構の構造が複雑で、組立も難しくなって、そのため、コネクタの設計と製造のコストを高める。
上記の記載をまとめて、新規のオーディオジャックのコネクタを研究する必要があり、現在の業界のいろいろな需要を満たすことができる。
【考案の開示】
【考案が解決しようとする課題】
【０００４】
本考案の目的は、オーディオジャックのコネクタを提供して、絶縁ハウジング（insulative housing）内には導電端子組（conductive terminal group）、ＬＥＤ感光器（ＬＥＤ photoreceptor）を設置して、特定のジャックを使用することを通じて、アナログ信号またはデジタル信号を伝送する。
【０００５】
本考案の次の目的は、オーディオジャックのコネクタを提供して、絶縁プレート及び遮蔽ケース（shielding case）の設計を通じて、それによって、コネクタが二重遮蔽の効果を有することができる。
本考案のもう一つの目的は、オーディオジャックのコネクタを提供して、コネクタのロック構造を簡単化させて、組立も容易となって、生産コストをコントロールする目的を達することができる。
【課題を解決するための手段】
【０００６】
本考案の目的を達成するために、本考案のオーディオジャックのコネクタは、下記の方式を介して実現する。当該オーディオジャックのコネクタは、絶縁ハウジング、導電端子組、ＬＥＤ感光器及び遮蔽ケースを含む。当該絶縁ハウジングは、基部及び絶縁プレートを含み、基部の後端に感光器を収容して、当該感光器の感応構造は挿接孔の中心と相互対応する。基部内に多数の基部頂面と底面を貫通する端子収容溝を設けて、導電端子が当該端子収容溝に置き入れられる。基部の前側面の挿接口の上端に嵌入溝を設計して、それは遮蔽ケースの嵌入口と相互嵌合する構造であって、基部の両側面の下半部にはいくつかのロック凸塊を設けて、それは遮蔽ケースの両側面の相応する位置の係止溝口と相互ロックして、また、基部の両側面の上半部に複数の凹み部を設けて、当該凹み部には絶縁プレートの凹み溝口と整体の７字形の凹み構造を形成して、当該構造は遮蔽ケース上のロック凸部と相互嵌合ロックして、基部の両側面の中間及び後端には条状凸塊を設けて、それは遮蔽ケースの相応位置の条状溝と相互に押し当てる。遮蔽ケースは、絶縁ハウジングとロックした後、絶縁プレートと二重の遮蔽効果を有する機構を形成する。当該絶縁ハウジングは、基部及び絶縁プレートで構成されて、絶縁プレートは基部の頂面にかぶり合って、基部の頂面には多数の定位円柱を設計して、それは絶縁プレート上の円孔と相互配合する構造であって、絶縁プレートの底部には第二導電端子を収容する弾性接触部の収容溝を設けて、感光器を支持する突部を設ける。
【０００７】
当該基部は矩形体であって、その前側面は対接面であって、当該対接面上に挿接孔が突き出て、当該挿接孔は基部内部へセンサーまで延伸して、基部内部には中空の挿接孔溝を形成することができて、挿接孔溝の左右側及び上頂部にはそれぞれ欠口を設けて、すべての欠口は挿接孔溝と相互貫通する。
当該基部の挿接孔溝の後方には矩形収容溝を設けて、センサーがその中に設置されて、当該センサーの感応装置は挿接孔の正中心に対応して、オーディオジャックのコネクタはデジタル信号を伝送する機能を有することができる。基部の頂面には複数の中空の異なっている幾何形状の端子収容溝を設けて、しかも基部の底面まで貫通して、すべての端子収容溝は挿接孔溝の両端に配置されて、導電端子はその中に設置される。
【０００８】
当該導電端子組は、第一導電端子、第二導電端子、第三導電端子、第四導電端子、第五導電端子を含み、当該五つの導電端子にはそれぞれ弾性接触部と溶接部を設けて、第一導電端子、第三導電端子及び第五導電端子の整体はそれぞれ挿接孔溝の両側端に設けられて、その弾性接触部は欠口を通ってオーディオジャックと相互接触して、第二導電端子の溶接部は挿接孔溝の一側に設けられて、その弾性接触部は挿接孔溝の上部に設けられて、欠口を通ってオーディオジャックと相互に接触して、第四導電端子は挿接孔溝の一側に設けられて、その弾性接触部はオーディオジャックと相互に接触せず、第三導電端子の弾性接触部と接触して組合スイッチを形成する。
【０００９】
当該コネクタの遮蔽ケースは一体形成の部品であって、遮蔽ケースの頂面両端が向下して垂直に延伸して両側面を形成して、そして、両側面は相対で曲折して延伸して遮蔽ケースの嵌入口を形成して、遮蔽ケースの後蓋には頂面を曲折形成して、後蓋の両側端には側壁と平行しているプレート体を設けて、当該プレート体の中部にはそれぞれ係止溝口を設けて、当該係止溝口は両側壁後端の係止点と相互ロックする。
当該絶縁プレートは、基部の頂面に設置されて、オーディオ信号に対して遮蔽作用を生じて、しかも金属で製造した遮蔽ケースは二重遮蔽作用を有する機構を構成する。
【考案を実施するための最良の形態】
【００１０】
更に詳しく本考案を理解して予定の目標を達するために、採用された技術方案及びその技術効果を特に下記の図面を合わせて詳細に下記如く説明する。
図１、図２及び図３に示すように、本考案の一実施例によるオーディオジャックのコネクタ１００は、絶縁ハウジング２、導電端子組３、ＬＥＤ感光器４及び遮蔽ケース５等の部品を含む。
【００１１】
当該絶縁ハウジング２は、基部２１及び絶縁プレート２２に分けて、当該基部２１及び絶縁プレート２２は矩形体であって、基部２１は前側面を対接面として、当該対接面には挿接孔２１１が凸出して、当該挿接孔２１１には更に内部へ向いて中空の挿接孔溝２１１１（図２及び図６に示すように）を形成して、そして、オーディオジャックを中空の挿接孔溝２１１１に挿入させることができる。挿接孔溝２１１１の左右側及び上頂部にはそれぞれ欠口２１１２（図２及び図６に示すように）を設けて、おのおのの欠口２１１２は挿接孔溝２１１１と貫通して、導電端子３の弾性接触部は欠口２１１２を通ってジャックと接触する。基部２１の頂面には複数の中空の異なっている幾何形状の端子収容溝２１２を設けて、しかも基部２１の底面まで貫通して、すべての端子収容溝２１２は挿接孔溝２１１１の両端に配置されて、複数の導電端子３はその中に設置される。基部２１の前側面の挿接孔２１１の上端に嵌入溝２１１３を設計して、それは遮蔽ケース５の嵌入口５１と相互嵌合する構造である。基部２１の両側面の下半部にはいくつかのロック凸塊２１４を設けて、それは遮蔽ケース５の両側面の相応する位置の係止溝口５３と相互ロックする。また、基部２１の両側面の上半部に複数の凹み部２１５を設けて、当該凹み部２１５は絶縁プレート２２の凹み溝口２２１と整体の７字形の凹み構造を形成して、当該構造は遮蔽ケース５上のロック凸部５４と相互嵌合ロックして、当該ロック凸部５４は７字形を呈して、遮蔽ケース５の頂面及び側面に設置される。基部２１の両側面の中間及び後端には条状凸塊２１６を設けて、それは遮蔽ケース５の相応位置の条状溝５６と相互に押し当てる。上記ロック機構は、設計が簡単で、組合が容易で、遮蔽ケース５と絶縁ハウジング２との結合安定性も保証できる。絶縁プレート２２は、基部２１の頂面にかぶり合う時、絶縁プレート２２にある上下表面を貫通する円孔２２２が基部２１の定位円柱２１７と相互結合して、絶縁プレート２２を基部２１の頂面に固定させる。絶縁プレート２２の下表面には凸塊２２３を設けて、それは基部後端のＬＥＤ感光器４を押し当てることに用いられて、それによって、安定的に基部２１内に固定させる。凸塊２２３の前方に凹み溝２２４を設けて、当該凹み溝２２４は第二導電端子の弾性接触部３２１形状を呈して、基部２１の頂面上に露出した第二導電端子の弾性接触部３２１はジャックを押し当てることを通って当該凹み溝２２４に（図４及び図５に示すように）挿入されて、そのため、絶縁プレート２２が基部２１の頂面としっかり嵌合する目的を達成して、即ち、コネクタの遮蔽作用を強化する。更に、基部２１の底面中間には二つの定位凸柱２１８を設ける。
【００１２】
本コネクタ１００の導電端子組は、第一導電端子３１、第二導電端子３２、第三導電端子３３、第四導電端子３４及び第五導電端子３５を含む。
当該五つの導電端子にはそれぞれ弾性接触部３１１、弾性接触部３２１、弾性接触部３３１、弾性接触部３４１及び弾性接触部３５１と溶接部３１２、溶接部３２２、溶接部３３２、溶接部３４２及び溶接部３５２を設けて、しかもすべて立挿式の構造であって、第一導電端子３１、第三導電端子３３及び第五導電端子３５の整体はそれぞれ挿接孔２１１の両側端に設けられて、弾性接触部３１１、弾性接触部３３１、弾性接触部３５１は欠口２１１２を通って挿接孔溝２１１１が挿入されるオーディオジャックと相互接触する。第二導電端子の溶接部３２２は挿接孔２１１の一側に設けられて、その弾性接触部３２１は挿接孔２１１の上部に設けられて、欠口２１１２を通ってオーディオジャックと相互に接触して、第四導電端子３４は挿接孔２１１の一側に設けられて、その弾性接触部３４１はオーディオジャックと相互に接触せず、第三導電端子３３の弾性接触部３３１と接触して組合スイッチ（図６及び図７に示すように）を形成して、ジャックが挿接孔溝２１１１に挿入されて第三導電端子３３の弾性接触部３３１と接触する時、第四導電端子３４の弾性接触部３３との接続は切れて信号伝送を実現する。
【００１３】
当該コネクタ１００の遮蔽ケース５は、一体形成の部品であって、遮蔽ケース５の頂面両端が向下して垂直に延伸して両側面を形成して、側面の下部には回路基板と相互接続している溶接脚片５５を設けて、そして、両側面は相対で曲折して延伸して遮蔽ケース５の嵌入口５１を形成して、遮蔽ケース５の後蓋５２には頂面を向下して曲折形成して、後蓋５２の両側端には側面と平行しているプレート体５２０を設けて、当該プレート体５２０の中部にはそれぞれ係止溝口５２１を設けて、当該係止溝口５２１は両側壁後端の係止点５７と相互ロックする。遮蔽ケース５等の設計は、比較的に全く絶縁ハウジング２を被うことができて、優れた遮蔽作用を生じて、絶縁プレート２２の第二重の遮蔽を通って、外部の信号伝送質量の影響を全く遮蔽することができる。
【００１４】
上述した説明によって、当該コネクタの絶縁ハウジングの基部は中空となって、しかもいくつかの頂面と底面を貫通する端子収容溝を有して、端子の溶接部は基部の底面に突き出て、ＬＥＤ感光器は絶縁ハウジングの基部後端の収容溝に設置されて、感光器の溶接脚片も基部の底面を突き出て、基部頂面上にプレート体がかぶり合って、プレート体を通って基部中の導電端子と感光器をしっかり固定させて、遮蔽ケースはロック構造を通って絶縁ハウジングと相互結合して、それによって、整体のオーディオジャックのコネクタを形成する。
【００１５】
上述した構造によって、アナログ信号を伝送するならば、特定のジャックを絶縁ハウジング前面の挿接孔に挿入させて、当該絶縁ハウジング内の導電端子組をジャックと接触導通させて、そうすると、アナログ信号を伝送できる。デジタル信号を伝送するならば、特定のジャックを絶縁ハウジング前面の挿接孔に挿入しなければならず、当該絶縁ハウジングの挿接孔後端のＬＥＤ感光器を特定ジャックと相対させて、そうすると、デジタル信号を伝送できる。
本考案の構造実施方式はただ本オーディオジャックのコネクタによる好ましい実施例であって、本考案の保護範囲を制限するわけではない。
【図面の簡単な説明】
【００１６】
【図１】本考案の一実施例によるオーディオジャックのコネクタを示す斜視図である。
【図２】本考案の一実施例によるオーディオジャックのコネクタを示す分解斜視図である。
【図３】本考案の一実施例によるオーディオジャックのコネクタを示す他の角度の分解斜視図である。
【図４】本考案の一実施例によるオーディオジャックのコネクタを示す側面断面図である。
【図５】本考案の一実施例によるオーディオジャックのコネクタのジャックと結合する状態を示す側面断面図である。
【図６】本考案の一実施例によるオーディオジャックのコネクタを示す正面断面図である。
【図７】本考案の一実施例によるオーディオジャックのコネクタのジャックと結合する状態を示す正面断面図である。
【符号の説明】
【００１７】
２：絶縁ハウジング、３：導電端子組、４：感光器、５：遮蔽ケース、１２：端子収容溝、２１：基部、２２：絶縁プレート、３１：第一導電端子、３２：第二導電端子、３３：第三導電端子、３４：第四導電端子、３５：第五導電端子、４１：感光機構、４２：接触脚片、５１：嵌入口、５２：後蓋、５３：係止溝口、５４：ロック凸部、５５：溶接脚片、５６：条状溝、５７：係止点、１００：オーディオジャックのコネクタ、２１１：挿接孔、２１４：ロック凸塊、２１５：凹み部、２１６：条状凸塊、２１７：定位円柱、２１８：定位凸柱、２２１：凹み溝口、２２２：円孔、２２３：凸塊、２２４：凹み溝、３１１：弾性接触部、３１２：溶接部、３２１：弾性接触部、３２２：溶接部、３３１：弾性接触部、３３２：溶接部、３４１：弾性接触部、３４２：溶接部、３５１：弾性接触部、３５２：溶接部、５２１：ロック溝口、２１１１：挿接孔溝、２１１２：欠口、２１１３：嵌入溝、２２１３：矩形収容溝
【図１】
0003127978.tif 000003
【図２】
0003127978.tif 000004
【図３】
0003127978.tif 000005
【図４】
0003127978.tif 000006
【図５】
0003127978.tif 000007
【図６】
0003127978.tif 000008
【図７】
0003127978.tif 000009